(57)【特許請求の範囲】
【請求項１】
ファクシミリジョブを受信するファクシミリ受信部と、
画像を印刷する濃さの程度を示す濃さ調整情報が含まれている非ファクシミリジョブを入力する入力部と、
前記ファクシミリジョブの印刷に用いる前記濃さ調整情報が記憶されている記憶部と、
印刷品質が低下しない累積の使用量の目安である基準使用量が設定されている１以上の消耗品を用いて被記録媒体に画像を印刷する印刷部と、
前記印刷部に画像を印刷させる制御部と、
を備え、
前記制御部は、
前記入力部によって入力された前記非ファクシミリジョブが表す画像を当該非ファクシミリジョブに含まれている前記濃さ調整情報によって示される濃さで前記印刷部に印刷させる非ファクシミリ印刷処理と、
前記ファクシミリ受信部によって受信された前記ファクシミリジョブが表す画像を前記記憶部に記憶されている前記濃さ調整情報によって示される濃さで前記印刷部に印刷させるファクシミリ印刷処理と、
前記消耗品の累積の使用量が当該消耗品に設定されている前記基準使用量を超えた消耗状態になった場合に、当該消耗状態になった後に前記入力部によって入力された前記非ファクシミリジョブに含まれている前記濃さ調整情報を、前記ファクシミリジョブの前記濃さ調整情報として前記記憶部に記憶させる再記憶処理と、
を実行する、印刷装置。
【請求項２】
請求項１に記載の印刷装置であって、
前記制御部は、前記再記憶処理において、前記非ファクシミリジョブに含まれている前記濃さ調整情報によって示される濃さが前記記憶部に記憶されている前記濃さ調整情報によって示される濃さよりも濃い場合に、前記非ファクシミリジョブに含まれている前記濃さ調整情報を前記記憶部に記憶させる、印刷装置。
【請求項３】
請求項１又は請求項２に記載の印刷装置であって、
前記制御部は、前記再記憶処理において、前記入力部によって前記非ファクシミリジョブが入力される毎に、当該非ファクシミリジョブに含まれている前記濃さ調整情報を前記ファクシミリジョブの前記濃さ調整情報として前記記憶部に記憶させる、印刷装置。
【請求項４】
請求項１乃至請求項３のいずれか一項に記載の印刷装置であって、
前記制御部は、前記再記憶処理において、間に前記非ファクシミリジョブが入力されることなく前記ファクシミリ受信部によって前記ファクシミリジョブが規定回数受信された場合は、前記消耗品の累積の使用量に応じた濃さ調整情報を、前記ファクシミリジョブの前記濃さ調整情報として前記記憶部に記憶させる、印刷装置。
【請求項５】
請求項１乃至請求項４のいずれか一項に記載の印刷装置であって、
前記消耗品は複数色の着色剤であり、
前記印刷部は単色の印刷、及び複数色の印刷を実行し、
前記記憶部には単色の印刷、及び複数色の印刷毎に前記ファクシミリジョブの前記濃さ調整情報が記憶され、
前記制御部は、前記再記憶処理において、
前記入力部によって入力された前記非ファクシミリジョブが単色で印刷されるジョブである場合は、当該非ファクシミリジョブに含まれている前記濃さ調整情報を前記ファクシミリジョブの単色の前記濃さ調整情報として前記記憶部に記憶させ、
前記入力部によって入力された前記非ファクシミリジョブが複数色で印刷されるジョブである場合は、当該非ファクシミリジョブに含まれている前記濃さ調整情報を前記ファクシミリジョブの複数色の前記濃さ調整情報として前記記憶部に記憶させる、印刷装置。
【請求項６】
請求項５に記載の印刷装置であって、
前記濃さ調整情報は前記複数色の色毎に記憶されるものであり、
前記制御部は、前記再記憶処理において、前記入力部によって入力された前記非ファクシミリジョブが複数色で印刷されるジョブである場合は、累積の使用量が前記基準使用量以下である前記着色剤の色の前記濃さ調整情報も含めて前記非ファクシミリジョブに含まれている前記濃さ調整情報を、前記ファクシミリジョブの前記複数色の前記濃さ調整情報として前記記憶部に記憶させる、印刷装置。
【請求項７】
請求項１乃至請求項６のいずれか一項に記載の印刷装置であって、
前記制御部は、前記消耗品が交換されて累積の使用量が前記基準使用量以下である通常状態に戻ると、前記記憶部に記憶されている前記ファクシミリジョブの前記濃さ調整情報を、前記通常状態のときの前記ファクシミリジョブの前記濃さ調整情報にリセットする、印刷装置。
【請求項８】
請求項１乃至請求項７のいずれか一項に記載の印刷装置であって、
前記消耗品は着色剤であり、
当該印刷装置は、印刷に用いる前記着色剤の量を節約する設定を受け付ける受付部を備え、
前記制御部は、前記再記憶処理において、
前記受付部で前記着色剤の量を節約する設定が受け付けられていない場合は、前記非ファクシミリジョブに含まれている前記濃さ調整情報を前記ファクシミリジョブの前記濃さ調整情報として前記記憶部に記憶させ、
前記受付部で前記着色剤の量を節約する設定が受け付けられている場合は、前記非ファクシミリジョブに含まれている前記濃さ調整情報を前記記憶部に記憶させない、印刷装置。
【請求項９】
請求項１乃至請求項８のいずれか一項に記載の印刷装置であって、
前記記憶部にはユーザを識別するユーザ識別子毎に前記ファクシミリジョブの前記濃さ調整情報が対応付けられて記憶され、
前記非ファクシミリジョブは当該非ファクシミリジョブを入力したユーザの前記ユーザ識別子を含み、
当該印刷装置はユーザ又は前記ファクシミリジョブからユーザ識別子を取得する取得部を備え、
前記制御部は、
前記再記憶処理において、前記入力部によって入力された前記非ファクシミリジョブに含まれている前記濃さ調整情報を、当該非ファクシミリジョブに含まれている前記ユーザ識別子に対応付けて前記ファクシミリジョブの前記濃さ調整情報として前記記憶部に記憶させ、
前記ファクシミリ印刷処理において、前記ファクシミリ受信部によって受信された前記ファクシミリジョブが表す画像を、前記取得部によって取得された前記ユーザ識別子に対応付けられて前記記憶部に記憶されている前記濃さ調整情報によって示される濃さで前記印刷部に印刷させる、印刷装置。
【発明の詳細な説明】
【技術分野】
【０００１】
本発明は、ファクシミリジョブが表す画像と非ファクシミリジョブが表す画像とを印刷する技術に関する。
【背景技術】
【０００２】
消耗品の累積の使用量が基準使用量を超えている消耗状態のときに画像を印刷すると、画像がかすれるなどによって印刷品質が低下する。
このような場合を想定して、消耗状態で印刷した画像を保存しておき、消耗品が交換された後にその保存しておいた画像を再印刷する技術が知られている（例えば、特許文献１参照）。
【先行技術文献】
【特許文献】
【０００３】
【特許文献１】特開平１１−３４１２４２号公報
【発明の概要】
【発明が解決しようとする課題】
【０００４】
しかしながら、従来の技術によると、同じ画像データを２度印刷することになり、被記録媒体や着色剤が無駄になるという問題がある。
本明細書では、消耗状態になってもファクシミリジョブが表す画像の印刷品質の低下を低減できる技術を開示する。
【課題を解決するための手段】
【０００５】
本明細書によって開示される印刷装置は、ファクシミリジョブを受信するファクシミリ受信部と、画像を印刷する濃さの程度を示す濃さ調整情報が含まれている非ファクシミリジョブを入力する入力部と、前記ファクシミリジョブの印刷に用いる前記濃さ調整情報が記憶されている記憶部と、印刷品質が低下しない累積の使用量の目安である基準使用量が設定されている１以上の消耗品を用いて被記録媒体に画像を印刷する印刷部と、前記印刷部に画像を印刷させる制御部と、を備え、前記制御部は、前記入力部によって入力された前記非ファクシミリジョブが表す画像を当該非ファクシミリジョブに含まれている前記濃さ調整情報によって示される濃さで前記印刷部に印刷させる非ファクシミリ印刷処理と、前記ファクシミリ受信部によって受信された前記ファクシミリジョブが表す画像を前記記憶部に記憶されている前記濃さ調整情報によって示される濃さで前記印刷部に印刷させるファクシミリ印刷処理と、前記消耗品の累積の使用量が当該消耗品に設定されている前記基準使用量を超えた消耗状態になった場合に、当該消耗状態になった後に前記入力部によって入力された前記非ファクシミリジョブに含まれている前記濃さ調整情報を、前記ファクシミリジョブの前記濃さ調整情報として前記記憶部に記憶させる再記憶処理と、を実行する。
【０００６】
なお、本明細書によって開示される印刷装置は、消耗状態になった後に非ファクシミリジョブが入力された場合に必ずその非ファクシミリジョブに含まれている濃さ調整情報をファクシミリジョブの濃さ調整情報として記憶部に記憶させるものに限定されない。
【０００７】
また、上記印刷装置は、前記制御部は、前記再記憶処理において、前記非ファクシミリジョブに含まれている前記濃さ調整情報によって示される濃さが前記記憶部に記憶されている前記濃さ調整情報によって示される濃さよりも濃い場合に、前記非ファクシミリジョブに含まれている前記濃さ調整情報を前記記憶部に記憶させてもよい。
【０００８】
また、上記印刷装置は、前記制御部は、前記再記憶処理において、前記入力部によって前記非ファクシミリジョブが入力される毎に、当該非ファクシミリジョブに含まれている前記濃さ調整情報を前記ファクシミリジョブの前記濃さ調整情報として前記記憶部に記憶させてもよい。
【０００９】
また、上記印刷装置は、前記制御部は、前記再記憶処理において、間に前記非ファクシミリジョブが入力されることなく前記ファクシミリ受信部によって前記ファクシミリジョブが規定回数受信された場合は、前記消耗品の累積の使用量に応じた濃さ調整情報を、前記ファクシミリジョブの前記濃さ調整情報として前記記憶部に記憶させてもよい。
【００１０】
また、上記印刷装置は、前記消耗品は複数色の着色剤であり、前記印刷部は単色の印刷、及び複数色の印刷を実行し、前記記憶部には単色の印刷、及び複数色の印刷毎に前記ファクシミリジョブの前記濃さ調整情報が記憶され、前記制御部は、前記再記憶処理において、前記入力部によって入力された前記非ファクシミリジョブが単色で印刷されるジョブである場合は、当該非ファクシミリジョブに含まれている前記濃さ調整情報を前記ファクシミリジョブの単色の前記濃さ調整情報として前記記憶部に記憶させ、前記入力部によって入力された前記非ファクシミリジョブが複数色で印刷されるジョブである場合は、当該非ファクシミリジョブに含まれている前記濃さ調整情報を前記ファクシミリジョブの複数色の前記濃さ調整情報として前記記憶部に記憶させてもよい。
【００１１】
また、上記印刷装置は、前記濃さ調整情報は前記複数色の色毎に記憶されるものであり、前記制御部は、前記再記憶処理において、前記入力部によって入力された前記非ファクシミリジョブが複数色で印刷されるジョブである場合は、累積の使用量が前記基準使用量以下である前記着色剤の色の前記濃さ調整情報も含めて前記非ファクシミリジョブに含まれている前記濃さ調整情報を、前記ファクシミリジョブの前記複数色の前記濃さ調整情報として前記記憶部に記憶させてもよい。
【００１２】
また、上記印刷装置は、前記制御部は、前記消耗品が交換されて累積の使用量が前記基準使用量以下である通常状態に戻ると、前記記憶部に記憶されている前記ファクシミリジョブの前記濃さ調整情報を、前記通常状態のときの前記ファクシミリジョブの前記濃さ調整情報にリセットしてもよい。
【００１３】
また、上記印刷装置は、前記消耗品は着色剤であり、当該印刷装置は、印刷に用いる前記着色剤の量を節約する設定を受け付ける受付部を備え、前記制御部は、前記再記憶処理において、前記受付部で前記着色剤の量を節約する設定が受け付けられていない場合は、前記非ファクシミリジョブに含まれている前記濃さ調整情報を前記ファクシミリジョブの前記濃さ調整情報として前記記憶部に記憶させ、前記受付部で前記着色剤の量を節約する設定が受け付けられている場合は、前記非ファクシミリジョブに含まれている前記濃さ調整情報を前記記憶部に記憶させなくてもよい。
【００１４】
また、上記印刷装置は、前記記憶部にはユーザを識別するユーザ識別子毎に前記ファクシミリジョブの前記濃さ調整情報が対応付けられて記憶され、前記非ファクシミリジョブは当該非ファクシミリジョブを入力したユーザの前記ユーザ識別子を含み、当該印刷装置はユーザ又は前記ファクシミリジョブからユーザ識別子を取得する取得部を備え、前記制御部は、前記再記憶処理において、前記入力部によって入力された前記非ファクシミリジョブに含まれている前記濃さ調整情報を、当該非ファクシミリジョブに含まれている前記ユーザ識別子に対応付けて前記ファクシミリジョブの前記濃さ調整情報として前記記憶部に記憶させ、前記ファクシミリ印刷処理において、前記ファクシミリ受信部によって受信された前記ファクシミリジョブが表す画像を、前記取得部によって取得された前記ユーザ識別子に対応付けられて前記記憶部に記憶されている前記濃さ調整情報によって示される濃さで前記印刷部に印刷させてもよい。
【００１５】
なお、本明細書によって開示される印刷装置は、印刷方法、印刷プログラムを記録した記録媒体等の種々の態様で実現することができる。
【発明の効果】
【００１６】
一般に送信側のファクシミリ装置と受信側の印刷装置とは距離が離れているので、ファクシミリジョブを送信した送信者は、そのファクシミリジョブが表す画像が受信側の印刷装置でかすれて印刷されても把握できない。
これに対し、非ファクシミリジョブを入力するユーザは印刷装置の近くに設置されている外部のコンピュータを操作して、あるいは印刷装置自体を操作して非ファクシミリジョブを入力する場合が多いので、非ファクシミリジョブを入力したユーザは、その非ファクシミリジョブが表す画像がかすれて印刷された場合にはそのことを把握できる。
【００１７】
非ファクシミリジョブが表す画像がかすれて印刷された場合、その非ファクシミリジョブを入力したユーザは、画像のかすれ具合に応じた濃さ調整情報に変更して再度非ファクシミリジョブを入力することにより、画像をより適切な濃さ（画像がかすれない濃さ）で印刷し直すことができる。
【００１８】
つまり、消耗状態になった後に入力された非ファクシミリジョブには、消耗状態においても適切な濃さで印刷できる濃さ調整情報が含まれている可能性がある。このため、消耗状態になった場合には、ファクシミリジョブが表す画像についても消耗状態になった後に入力された非ファクシミリジョブに含まれている濃さ調整情報によって示される濃さで印刷すれば、より適切な濃さ（画像がかすれない濃さ）で印刷できる可能性が高くなる。
【００１９】
この発明によると、消耗状態になった場合には、消耗状態になった後に入力された非ファクシミリジョブに含まれている濃さ調整情報を、ファクシミリジョブの濃さ調整情報として記憶部に記憶させるので、消耗状態になってもファクシミリジョブが表す画像の印刷品質の低下を低減できる。
【図面の簡単な説明】
【００２０】
【図１】実施形態１に係る複合機の電気的構成を示すブロック図。
【図２】トナーカートリッジの断面図。
【図３】複合機の状態を説明するための模式図。
【図４】記憶部に記憶されている濃さ調整情報を説明するための模式図。
【図５】印刷処理の流れを示すフローチャート。
【図６】非ＦＡＸジョブに応じた濃さ調整情報記憶処理のフローチャート。
【図７】累積の使用量に応じた濃さ調整情報記憶処理のフローチャート。
【図８】トナーカートリッジ交換時の処理の流れを示すフローチャート。
【図９】ユーザ管理が行われていない場合の濃さ調整情報の遷移の一例を示す模式図。
【図１０】ユーザ管理が行われている場合の濃さ調整情報の遷移の一例を示す模式図。
【発明を実施するための形態】
【００２１】
＜実施形態１＞
本発明の実施形態１を図１ないし図１０によって説明する。
（１）複合機の電気的構成
図１は、ファクシミリ（ＦＡＸ）機能、スキャナ機能、プリンタ機能、コピー機能などを備える複合機１（印刷装置の一例）の電気的構成を示すブロック図である。複合機１は、制御部１０、ＦＡＸ部１１、スキャナ部１２、プリンタ部１３、操作部１４、記憶部１５、メモリインタフェース１６（メモリ  Ｉ／Ｆ）、ネットワークインタフェース１７（ＮＷ  Ｉ／Ｆ）などを備えて構成されている。
【００２２】
制御部１０（制御部、取得部の一例）は、ＣＰＵ、ＲＯＭ、ＲＡＭなどを備えて構成されている。ＣＰＵはＲＯＭや記憶部１５に記憶されている各種のプログラムを実行することによって複合機１の各部を制御する。ＲＯＭはＣＰＵによって実行される各種のプログラムやデータなどを記憶している。ＲＡＭはＣＰＵが各種の処理を実行するための主記憶装置として用いられる。
【００２３】
ＦＡＸ部１１（ファクシミリ受信部の一例）は、ＮＣＵ（Network Control Unit）、モデム、これらを制御するＡＳＩＣなどを備えて構成されており、公衆交換電話網を介して外部のＦＡＸ装置との間で所定のＦＡＸ通信プロトコルに従ってＦＡＸジョブを送受信する。
【００２４】
スキャナ部１２は、原稿が載置される原稿台、原稿を照射する光源、リニアイメージセンサ、光源によって照射された原稿の光学像をリニアイメージセンサに結像させる光学系、原稿とリニアイメージセンサとを相対移動させる搬送機構などを備えて構成されており、原稿を読み取って画像データを生成する。
【００２５】
プリンタ部１３（印刷部の一例）は、トナーカートリッジ２０（図２参照）に収容されているトナー（着色剤の一例）やトナーカートリッジ２０に設けられている現像ローラ２４などの消耗品を用いて紙やＯＨＰシートなどの被記録媒体に画像を印刷する。プリンタ部１３にはシアン（Ｃ）、マゼンタ（Ｍ）、イエロー（Ｙ）、及び、黒（Ｋ）の色毎にトナーカートリッジ２０が着脱可能に装着される。
【００２６】
操作部１４（入力部、受付部、取得部の一例）は、ＬＣＤ（Liquid Crystal Display）などの表示装置、表示装置の表示面を覆う略透明なタッチパネル、各種の操作ボタンなどを備えて構成されている。ユーザは操作部１４を操作することによってジョブの入力や各種の設定などを行うことができる。
記憶部１５（記憶部の一例）は、ハードディスクやフラッシュメモリなどの不揮発性のメモリを用いて各種のデータを記憶する装置である。記憶部１５にはＦＡＸジョブが表す画像の印刷に用いられる１以上の濃さ調整情報が記憶されている。
【００２７】
メモリインタフェース１６は、ＵＳＢメモリやＵＳＢハードディスクなどのＵＳＢマスストレージデバイスが接続されるＵＳＢホストインタフェース、あるいは、各種のリムーバブルメモリの規格に応じたメモリスロットを有するメモリカードリーダとして構成されている。
ネットワークインタフェース１７（入力部、受付部の一例）は、ＬＡＮやインターネットなどの通信ネットワーク５を介して外部のコンピュータ２（パーソナルコンピュータ、携帯情報端末、携帯電話など）と通信可能に接続されている。
【００２８】
（２）トナーカートリッジ
次に、トナーカートリッジ２０について説明する。
【００２９】
（２−１）トナーカートリッジの構成
図２は、トナーカートリッジ２０の断面図である。トナーカートリッジ２０は、トナー収容室２１、アジテータ２２、供給ローラ２３、現像ローラ２４、層厚規制ブレード２５などを備えて構成されている。
トナー収容室２１には、正帯電性の非磁性のトナーが収容されている。アジテータ２２によって撹拌されたトナーは供給ローラ２３に供給され、供給ローラ２３の回転によって現像ローラ２４に供給される。
【００３０】
現像ローラ２４に供給されたトナーは現像ローラ２４の回転に伴って層厚規制ブレードと現像ローラ２４との間に進入し、一定の厚さの薄層として現像ローラ２４の外周に担持される。
現像ローラ２４に担持されたトナーは、複合機１に設けられている感光体ドラムの表面に形成されている静電潜像に供給され、それにより静電潜像が現像される。
【００３１】
（２−２）トナーカートリッジの新品検知
トナーカートリッジ２０の新品検知は種々の方法で行うことができる。
例えば、一方向にのみ移動可能な可動部材をトナーカートリッジ２０に設け、トナーカートリッジ２０を装着する際に当該可動部材が複合機１の内部（あるいはドラムユニット）に設けられている固定部材に押されて当該一方向に移動するように構成し、複合機１側に設けた機械的、あるいは光学的なセンサによってこの移動を検出してもよい。これにより、制御部１０は新品のトナーカートリッジ２０に交換されたことを検知することができる。この場合、一度装着したトナーカートリッジ２０を外して再装着する際には可動部材が移動しないので、新品とは検知されないことになる。
【００３２】
また、トナーカートリッジ２０のトナー残量をセンサによって定期的に検出し、前回検出したときからトナー残量が増加しており、且つそのトナー残量がある一定量以上であれば新品と検知してもよい。
また、トナーカートリッジ２０を新品に交換したときにユーザが操作部１４でその旨を設定することで新品と検知してもよい。
【００３３】
（３）消耗品の累積の使用量、及び、基準使用量
実施形態１では消耗品としてＣＭＹＫ４色のトナー、及び、各色のトナーカートリッジ２０に設けられている４つの現像ローラ２４を例に説明する。
【００３４】
（３−１）トナーの累積の使用量、及び、基準使用量
トナーカートリッジ２０が新品に交換されてからのトナーの累積の使用量がある一定量を超えると、トナーが不足して印刷がかすれ始め、それにより印刷品質が低下し始める。
上述したある一定量は印刷品質が低下しない累積の使用量の目安である基準使用量としてトナー毎に設定されている。具体的には例えば、Ａ４の被記録媒体の面積に対するドット（トナーによって形成される微小な点）が形成された面積の割合（カバレッジ）が４．１％の被記録媒体を７００枚印刷するのに必要なトナーの量が各トナーの基準使用量として設定されている。
【００３５】
トナーの累積の使用量は、例えば被記録媒体に形成されるドットの数を画像データ毎にカウントし、カウントしたドット数に１ドット当たりのトナー量を乗算した値をトナーカートリッジ２０が新品に交換された後に印刷された画像データについて合計することによって求めることができる。
【００３６】
（３−２）現像ローラの累積の使用量、及び、基準使用量
現像ローラ２４は回転が繰り返されることによって摩耗し、トナーカートリッジ２０が新品に交換されてからの累積の回転数がある一定回転数を超えると、担持できるトナーの量が少なくなって印刷がかすれ始め、それにより印刷品質が低下し始める。
上述したある一定回転数は印刷品質が低下しない累積の回転数の目安である基準使用量として現像ローラ２４ごとに設定されている。具体的には例えば、７００枚の被記録媒体に印刷するのに必要な回転数が基準使用量として設定されている。
【００３７】
現像ローラ２４の累積の回転数は、例えばトナーカートリッジ２０が新品に交換された後に印刷された被記録媒体の枚数に１枚の被記録媒体当たりの現像ローラ２４の回転数を乗算することによって求めることができる。なお、例えばロータリエンコーダを用いて現像ローラ２４の回転をカウントしてもよいし、現像ローラ２４を回転駆動するステッピングモータに入力したパルス数から換算してもよい。
【００３８】
（４）複合機の状態
図３は、複合機１の状態を説明するための模式図である。
複合機１には、「Ｒｅａｄｙ」状態（通常状態の一例）と、「Ｒｅｐｌａｃｅ  Ｔｏｎｅｒ」状態（消耗状態の一例）と、「Ｔｏｎｅｒ  Ｅｎｄｅｄ」状態とがある。
【００３９】
「Ｒｅａｄｙ」状態とは、いずれの消耗品も累積の使用量がその消耗品に設定されている基準使用量以下の状態である。「Ｒｅａｄｙ」状態ではいずれの消耗品も基準使用量以下であるので、印刷品質を低下させることなく画像データを印刷できる。
「Ｒｅｐｌａｃｅ  Ｔｏｎｅｒ」状態とは、少なくとも一つの消耗品の累積の使用量がその消耗品に設定されている基準使用量を超えている状態である。「Ｒｅｐｌａｃｅ  Ｔｏｎｅｒ」状態では少なくとも一つの消耗品が基準使用量を超えているので、画像データの印刷品質が低下し始める。
【００４０】
「Ｔｏｎｅｒ  Ｅｎｄｅｄ」状態とは、少なくとも一つの消耗品の累積の使用量がその消耗品に設定されている限界使用量（図示する例では４０００枚分の印刷に用いられる量）を超えている状態である。「Ｔｏｎｅｒ  Ｅｎｄｅｄ」状態になった場合は、後述するＦＡＸジョブの受信や非ＦＡＸジョブの入力が停止される。
【００４１】
「Ｒｅｐｌａｃｅ  Ｔｏｎｅｒ」状態、あるいは「Ｔｏｎｅｒ  Ｅｎｄｅｄ」状態において、累積の使用量が基準使用量を超えている全ての消耗品が新品に交換されると、複合機１は「Ｒｅａｄｙ」状態に戻る。
【００４２】
（５）ＦＡＸジョブ、及び、非ＦＡＸジョブ
複合機１で実行されるジョブには、ＦＡＸジョブと非ＦＡＸジョブ（ＰＣプリントジョブ、コピージョブ、ダイレクトプリントジョブ）とがある。ここでは非ＦＡＸジョブ、ＦＡＸジョブの順で説明する。
【００４３】
（５−１）ＰＣプリントジョブ
ＰＣプリントジョブは、外部のコンピュータ２から通信ネットワーク５を介して受信することによって複合機１に入力されるジョブである。
ＰＣプリントジョブには、そのＰＣプリントジョブを送信したユーザのユーザ識別子と、複合機１に印刷させる画像を表す画像データと、その画像を印刷する印刷条件とが含まれる。
【００４４】
ユーザ識別子とは、例えばそのユーザがコンピュータ２にログインしたときのユーザ名である。
印刷条件とは、印刷部数、片面／両面印刷、モノクロ（単色）／カラー（複数色）印刷、モノクロの濃さ調整情報、カラーの濃さ調整情報、トナーセーブなどの印刷設定項目の設定値の組み合わせをいう。
【００４５】
濃さ調整情報とは、画像を印刷する濃さの程度を示す値が設定される印刷設定項目である。濃さ調整情報には「１（薄い）」〜「３（通常）」〜「７（濃い）」まで７段階で値を設定できる。
モノクロの濃さ調整情報はモノクロの印刷が設定されたときのみ設定可能であり、カラーの濃さ調整情報はカラーの印刷が設定されたときのみ設定可能である。カラーの濃さ調整情報にはＣＭＹＫ各色についてそれぞれ独立して値を設定できる。
なお、カラーの濃さ調整情報はＲＧＢの値を設定可能にしてもよい。その場合は、ＲＧＢの値をＣＭＹＫに変換した値が用いられる。
【００４６】
トナーセーブ（印刷に用いる着色剤の量を節約する設定の一例）は、トナーの使用量を節約するか否かを設定する印刷設定項目であり、設定値としてＯＮまたはＯＦＦを設定できる。ＯＮが設定された場合には、ＯＦＦが設定された場合よりも画像の印刷に用いるトナーが節約される（例えば設定した濃さ調整情報の値が１段階、あるいは２段階引き下げられる）。
【００４７】
複合機１は、ＰＣプリントジョブが入力されると、入力されたＰＣプリントジョブに含まれている画像データが表す画像を、当該ＰＣプリントジョブに含まれている印刷条件に従ってプリンタ部１３に印刷させる。
【００４８】
（５−２）コピージョブ
コピージョブは、ユーザが載置台に原稿を載置し、操作部１４を操作してコピーを指示することによって複合機１に入力される。
【００４９】
コピージョブの入力では、ユーザは例えばユーザ識別子が記憶されているＩＤカードを複合機１が備えるカードリーダ（図１では図示せず）に読み取らせてから入力する。なお、ユーザは操作部１４を操作してユーザ識別子を手動で入力してもよい。
また、コピージョブの入力では、ユーザは操作部１４を操作することにより、ＰＣプリントジョブと同様の印刷条件を設定することができる。
【００５０】
コピージョブには、ユーザ識別子と、上述した印刷条件とが含まれる。
複合機１は、コピージョブが入力されると、スキャナ部１２によって原稿を読み取って画像データを生成し、生成した画像データが表す画像を、当該コピージョブに含まれている印刷条件に従ってプリンタ部１３に印刷させる。
【００５１】
（５−３）ダイレクトプリントジョブ
ダイレクトプリントジョブは、ユーザがメモリインタフェース１６にリムーバブルメモリを装着し、装着したリムーバブルメモリに記憶されている画像データの中から印刷する画像データを指定して印刷を指示することによって複合機１に入力される。
【００５２】
ダイレクトプリントジョブの入力でも、コピージョブと同様にユーザはユーザ識別子を入力する。
また、ダイレクトプリントジョブの入力でも、ユーザは操作部１４を操作することにより、ＰＣプリントジョブと同様の印刷条件を設定することができる。
【００５３】
ダイレクトプリントジョブには、ユーザ識別子と、ユーザが指定した画像データと、上述した印刷条件とが含まれる。
複合機１は、ダイレクトプリントジョブが入力されると、入力されたダイレクトプリントジョブに含まれている画像データが表す画像を、当該ダイレクトプリントジョブに含まれている印刷条件に従ってプリンタ部１３に印刷させる。
【００５４】
（５−４）ＦＡＸジョブ
ＦＡＸジョブは、ＦＡＸ部１１によって外部のＦＡＸ装置から受信される。
ＦＡＸジョブには画像データやモノクロ／カラー印刷の設定値は含まれているが、少なくとも濃さ調整情報やユーザ識別子は含まれていない。
複合機１は、ＦＡＸジョブを受信すると、受信したＦＡＸジョブに含まれている画像データが表す画像を、ＦＡＸジョブに含まれている印刷条件や記憶部１５に記憶されている濃さ調整情報に従ってプリンタ部１３に印刷させる。
【００５５】
（６）記憶部に記憶されている濃さ調整情報
図４は、記憶部１５に記憶されている濃さ調整情報を説明するための模式図である。Ｐｕｂｌｉｃ、及び、Ｕｓｅｒ１〜Ｕｓｅｒ１０は、ユーザ識別子を示している。図示するように各ユーザ識別子にはモノクロの濃さ調整情報とカラーの濃さ調整情報とが対応付けられて記憶される。
【００５６】
Ｐｕｂｌｉｃに対応付けられている濃さ調整情報は、全てのユーザに適用される濃さ調整情報である。工場出荷時にはＰｕｂｌｉｃの濃さ調整情報のみが記憶部１５に記憶されている。「Ｒｅａｄｙ」状態（通常状態）でのＰｕｂｌｉｃの濃さ調整情報の値は「３（通常）」である。
【００５７】
なお、Ｐｕｂｌｉｃの濃さ調整情報は、工場出荷時に記憶部１５に記憶されていなくてもよい。例えば工場出荷後に複合機１が初めて起動されたときに制御部１０によって記憶部１５に記憶されてもよいし、複合機１の管理者が入力してもよい。
【００５８】
Ｕｓｅｒ１〜Ｕｓｅｒ１０に対応付けられている濃さ調整情報は、ユーザ個別の濃さ調整情報である。ユーザ個別の濃さ調整情報は複合機１の管理者によって記憶部１５に登録（記憶）される。「Ｒｅａｄｙ」状態でのユーザ個別の濃さ調整情報の値はユーザ毎に設定できる。
【００５９】
なお、複合機１の管理者がユーザ個別の濃さ調整情報を記憶部１５に登録するのではなく、各ユーザが初めて複合機１に非ＦＡＸジョブを入力したときに、制御部１０が、その非ＦＡＸジョブに含まれている濃さ調整情報をその非ＦＡＸジョブに含まれているユーザ識別子に対応付けて記憶部１５に記憶させてもよい。
【００６０】
（７）ユーザ管理
複合機１には、ユーザ管理を行うか否かを設定できる。
ユーザ管理を行わないように設定した場合には、ＦＡＸジョブを受信すると、そのＦＡＸジョブがモノクロで印刷されるＦＡＸジョブである場合には、そのＦＡＸジョブが表す画像がＰｕｂｌｉｃのモノクロの濃さ調整情報によって示される濃さで印刷される。
そのＦＡＸジョブがカラーで印刷されるＦＡＸジョブである場合には、そのＦＡＸジョブが表す画像がＰｕｂｌｉｃのカラーの濃さ調整情報によって示される濃さで印刷される。
【００６１】
一方、ユーザ管理を行うように設定した場合には、ＦＡＸジョブを受信すると、そのＦＡＸジョブがモノクロで印刷されるＦＡＸジョブである場合には、そのＦＡＸジョブが表す画像が、ユーザ管理の対象として指定されているユーザ（対象ユーザ）のユーザ識別子に対応付けられて記憶部１５に記憶されているモノクロの濃さ調整情報によって示される濃さで印刷される。
そのＦＡＸジョブがカラーで印刷されるＦＡＸジョブである場合には、そのＦＡＸジョブが表す画像が、対象ユーザのユーザ識別子に対応付けられて記憶部１５に記憶されているカラーの濃さ調整情報によって示される濃さで印刷される。
ユーザ管理の対象ユーザは、予め複合機１の管理者（ユーザの一例）が指定しておくものとする。
【００６２】
ユーザ管理を行うように設定されている場合は、受信したＦＡＸジョブがどのユーザ宛のものであるかによらず、対象ユーザとして指定されているユーザのユーザ識別子に対応付けられている濃さ調整情報がＦＡＸジョブの印刷に用いられる。
【００６３】
（８）画像データの印刷処理
図５は、画像データの印刷処理の流れを示すフローチャートである。本処理は複合機１がＦＡＸジョブを受信するか又は複合機１に非ＦＡＸジョブが入力されると開始される。
【００６４】
Ｓ１０１では、制御部１０は「Ｒｅｐｌａｃｅ  Ｔｏｎｅｒ」状態であるか否かを判断し、「Ｒｅｐｌａｃｅ  Ｔｏｎｅｒ」状態である場合はＳ１０２に進み、「Ｒｅｐｌａｃｅ  Ｔｏｎｅｒ」状態ではない場合はＳ１０７に進む。
Ｓ１０２では、制御部１０は本処理を開始するきっかけとなったジョブが非ＦＡＸジョブであるかＦＡＸジョブであるかを判断し、非ＦＡＸジョブである場合はＳ１０３に進み、ＦＡＸジョブである場合はＳ１０５に進む。
【００６５】
Ｓ１０３では、制御部１０は入力された非ＦＡＸジョブからその非ＦＡＸジョブに含まれている濃さ調整情報を取得する。非ＦＡＸジョブにモノクロの印刷が設定されている場合はモノクロの濃さ調整情報が取得され、カラーの印刷が設定されている場合はカラーの濃さ調整情報が取得される。
【００６６】
Ｓ１０４では、制御部１０は記憶部１５に記憶されている濃さ調整情報（ＦＡＸジョブの濃さ調整情報）をＳ１０３で取得した濃さ調整情報で更新（再記憶）する「非ＦＡＸジョブに応じた濃さ調整情報記憶処理」（再記憶処理の一例）を実行する。「非ＦＡＸジョブに応じた濃さ調整情報記憶処理」の詳細については後述する。
【００６７】
Ｓ１０５では、制御部１０は、記憶部１５に記憶されている濃さ調整情報（ＦＡＸジョブの濃さ調整情報）を消耗品の累積の使用量に応じた濃さ調整情報で更新（再記憶）する「累積の使用量に応じた濃さ調整情報記憶処理」（再記憶処理の一例）を実行する。「累積の使用量に応じた濃さ調整情報記憶処理」については後述する。
Ｓ１０６では、制御部１０はＦＡＸジョブの印刷に用いる濃さ調整情報を決定する。
具体的には例えば、ユーザ管理を行わないように設定されている場合は、制御部１０はＦＡＸジョブがモノクロで印刷されるＦＡＸジョブである場合にはＰｕｂｌｉｃのモノクロの濃さ調整情報を印刷に用いる濃さ調整情報として決定する。カラーで印刷されるＦＡＸジョブである場合には、制御部１０はＰｕｂｌｉｃのカラーの濃さ調整情報を印刷に用いる濃さ調整情報として決定する。
【００６８】
一方、ユーザ管理を行うように設定した場合には、制御部１０はＦＡＸジョブがモノクロで印刷されるＦＡＸジョブである場合にはユーザ管理の対象として指定されているユーザ（対象ユーザ）のユーザ識別子に対応付けられて記憶部１５に記憶されているモノクロの濃さ調整情報を印刷に用いる濃さ調整情報として決定する。カラーで印刷されるＦＡＸジョブである場合には、制御部１０は対象ユーザのユーザ識別子に対応付けられて記憶部１５に記憶されているカラーの濃さ調整情報を印刷に用いる濃さ調整情報として決定する。
【００６９】
Ｓ１０７では、制御部１０は本処理を開始するきっかけとなったジョブを実行してプリンタ部１３に画像を印刷させる（ファクシミリ印刷処理、非ファクシミリ印刷処理の一例）。
ここで、本処理を開始するきっかけとなったジョブがＦＡＸジョブである場合には、Ｓ１０６で決定した濃さ調整情報が印刷に用いられる。
この印刷において、制御部１０は濃さ調整情報の値に応じた大きさで１ドットを形成するようプリンタ部１３に指示することにより、あるいは、画像の１画素に対応して形成されるドットの密度が濃さ調整情報の値に応じた密度になるように画像データを加工することにより、濃さ調整情報によって示される濃さで画像を印刷させる。
【００７０】
（８−１）非ＦＡＸジョブに応じた濃さ調整情報記憶処理
図６は、「非ＦＡＸジョブに応じた濃さ調整情報記憶処理」の流れを示すフローチャートである。
Ｓ２０１では、制御部１０はトナーセーブがＯＦＦに設定されているかＯＮに設定されているかを判定し、ＯＦＦに設定されている場合はＳ２０２に進み、ＯＮに設定されている場合は「画像データを印刷する処理」に戻る。
【００７１】
Ｓ２０２では、制御部１０はユーザ管理を行うように設定されているか否かを判定し、ユーザ管理を行うように設定されていない場合はＳ２０３に進み、ユーザ管理を行うように設定されている場合はＳ２０４に進む。
【００７２】
Ｓ２０３では、制御部１０は記憶部１５に記憶されている濃さ調整情報のうちＰｕｂｌｉｃの濃さ調整情報を更新の対象とする。
Ｓ２０４では、制御部１０は前述した「画像データを印刷する処理」を開始するきっかけとなった非ＦＡＸジョブに含まれているユーザ識別子を取得し、その識別子と同じユーザ識別子に対応付けられて記憶部１５に記憶されている濃さ調整情報を更新の対象とする。
【００７３】
Ｓ２０５では、制御部１０は前述した「画像データを印刷する処理」を開始するきっかけとなった非ＦＡＸジョブが、モノクロで印刷するジョブであるかカラーで印刷するジョブであるかを判断し、モノクロで印刷するジョブである場合はＳ２０６に進み、カラーで印刷するジョブである場合はＳ２０７に進む。
【００７４】
Ｓ２０６では、制御部１０は、Ｓ２０３又はＳ２０４で更新の対象となった濃さ調整情報のうち、モノクロの濃さ調整情報を、前述したＳ１０３で非ＦＡＸジョブから取得したモノクロの濃さ調整情報で更新する。
【００７５】
この更新は、Ｓ１０３で取得した濃さ調整情報の値が、更新の対象となる濃さ調整情報の値より大きい場合のみ行う。例えば、Ｓ１０３で取得した濃さ調整情報が「４」であり、更新の対象となる濃さ調整情報が「５」である場合は、制御部１０は更新の対象となる濃さ調整情報を更新しない。
【００７６】
Ｓ２０７では、制御部１０は、更新の対象となった濃さ調整情報のうち、カラーの濃さ調整情報を、前述したＳ１０３で非ＦＡＸジョブから取得したカラーの濃さ調整情報で更新する。
この更新は、Ｓ１０３で取得した濃さ調整情報の値が、更新の対象となる濃さ調整情報の値より大きい色についてのみ行う。例えば、Ｓ１０３で取得した濃さ調整情報のシアン（Ｃ）の値が「４」であり、マゼンタ（Ｍ）の値が「５」であるとする。そして、更新の対象となる濃さ調整情報のシアン（Ｃ）の値が「５」であり、マゼンタ（Ｍ）の値が「４」であるとする。この場合、制御部１０は、更新の対象となる濃さ調整情報のシアン（Ｃ）の値は更新しない一方、マゼンタ（Ｍ）の値を「５」に更新する。
【００７７】
（８−２）累積の使用量に応じた濃さ調整情報記憶処理
図７は、「累積の使用量に応じた濃さ調整情報記憶処理」の流れを示すフローチャートである。
【００７８】
Ｓ３０１では、制御部１０は間に非ＦＡＸジョブが入力されることなくＦＡＸジョブを規定回数以上受信したか否かを判断する。
間に非ＦＡＸジョブが入力されることなくＦＡＸジョブを規定回数以上受信した場合とは、複合機１の状態が「Ｒｅｐｌａｃｅ  Ｔｏｎｅｒ」状態になってからＦＡＸジョブを規定回数受信するまでの間に非ＦＡＸジョブが入力されなかった場合や、「Ｒｅｐｌａｃｅ  Ｔｏｎｅｒ」状態において最後に非ＦＡＸジョブを受信してからＦＡＸジョブを規定回数以上受信した場合である。
制御部１０は、ＦＡＸジョブを規定回数以上受信した場合はＳ３０２に進み、規定回数に満たない場合は「画像データを印刷する処理」に戻る。
【００７９】
Ｓ３０２では、制御部１０は黒（Ｋ）のトナーの累積の使用量と基準使用量との差分、及び、黒（Ｋ）のトナーに対応する現像ローラ２４の累積の使用量と基準使用量との差分のうち、小さい方の差分に応じて、画像が適切な濃さで印刷されるモノクロの濃さ調整情報の値を決定する。
具体的には例えば、予め差分の大きさを離散的に選択して差分の大きさ毎に画像が適切な濃さ（画像がかすれない濃さ）で印刷される濃さ調整情報の値を実験によって求めておき、制御部１０はその実験結果を参照して濃さ調整情報の値を決定する。
【００８０】
Ｓ３０３では、制御部１０は、トナーの色毎に、その色のトナーの累積の使用量と基準使用量との差分、及び、その色のトナーに対応する現像ローラ２４の累積の使用量と基準使用量との差分のうち、小さい方の差分に応じて、画像が適切な濃さで印刷される濃さ調整情報の値を決定する。この決定も実験結果を参照することによって行うことができる。
【００８１】
Ｓ３０４では、制御部１０はユーザ管理を行うように設定されているか否かを判定し、ユーザ管理を行わないように設定されている場合はＳ３０５に進み、ユーザ管理を行うように設定されている場合はＳ３０６に進む。
【００８２】
Ｓ３０５では、制御部１０は記憶部１５に記憶されている濃さ調整情報のうちＰｕｂｌｉｃの濃さ調整情報を更新の対象とする。
Ｓ３０６では、制御部１０は記憶部１５に記憶されている全てのユーザ個別の濃さ調整情報を更新の対象とする。
【００８３】
Ｓ３０７では、制御部１０はＳ３０５又はＳ３０６で更新の対象となった濃さ調整情報のうちモノクロの濃さ調整情報の値を、Ｓ３０２で決定したモノクロの濃さ調整情報の値で更新する。
なお、この更新も、Ｓ３０２で決定した濃さ調整情報の値が更新の対象となる濃さ調整情報の値より大きい場合のみ行うようにしてもよい。
【００８４】
Ｓ３０８では、制御部１０は更新の対象となった濃さ調整情報のうちカラーの濃さ調整情報の各色の値を、Ｓ３０３で決定したカラーの濃さ調整情報の各色の値で更新する。
なお、この更新も、Ｓ３０３で決定した濃さ調整情報の値が更新の対象となる濃さ調整情報の値より大きい場合のみ行うようにしてもよい。
なお、Ｓ３０７及びＳ３０８で濃さ調整情報を更新した場合には、上述した規定回数のカウントを０にリセットしてもよい。
【００８５】
（８−３）トナーカートリッジ交換時の処理
図８は、トナーカートリッジ交換時の処理の流れを示すフローチャートである。本処理はいずれかのトナーカートリッジ２０が新品に交換されると開始される。
Ｓ４０１では、制御部１０は、トナーカートリッジ２０を交換した後の複合機１の状態が「Ｒｅａｄｙ」状態であるか否かを判定し、「Ｒｅａｄｙ」状態である場合はＳ４０２に進み、「Ｒｅａｄｙ」状態ではない場合はＳ４０３に進む。
【００８６】
Ｓ４０２では、制御部１０は記憶部１５に記憶されている全ての濃さ調整情報を、「Ｒｅａｄｙ」状態のときの値に戻す。
Ｓ４０３では、制御部１０は交換されたトナーカートリッジ２０のトナーの累積の使用量、及び、現像ローラ２４の累積の使用量を０にリセットする。
【００８７】
（９）記憶部に記憶されている濃さ調整情報の遷移例
図９は、ユーザ管理を行わない場合の濃さ調整情報の遷移の一例を示す模式図である。図９では「Ｒｅｐｌａｃｅ  Ｔｏｎｅｒ」状態において以下に示すイベント１〜４がこの順で発生した場合の濃さ調整情報の遷移を示している。
【００８８】
（イベント１）Ｕｓｅｒ１が濃さ調整情報に５を設定してモノクロで印刷するＰＣプリントジョブを入力。
（イベント２）Ｕｓｅｒ２が濃さ調整情報に４を設定してモノクロで印刷するコピージョブを入力。
（イベント３）Ｕｓｅｒ３がＣＭＹＫの濃さ調整情報に３、４、７、４を設定してカラーで印刷するＰＣプリントジョブを入力。
（イベント４）全てのトナーカートリッジ２０を交換
【００８９】
イベント１が発生すると、Ｐｕｂｌｉｃのモノクロの濃さ調整情報の値が５に更新される。
イベント２はモノクロの濃さ調整情報の値として４が設定されているが、Ｐｕｂｌｉｃのモノクロの濃さ調整情報はイベント１によって５に更新されているので更新されない。
【００９０】
イベント３が発生すると、Ｐｕｂｌｉｃのカラーの濃さ調整情報のマゼンタ（Ｍ）、イエロー（Ｙ）、黒（Ｋ）の値がそれぞれ４、７、４に更新される。シアン（Ｃ）は３のままであるので更新されない。
イベント４が発生すると、Ｐｕｂｌｉｃの濃さ調整情報について、モノクロの濃さ調整情報もカラーの濃さ調整情報も「Ｒｅａｄｙ」状態の値に戻る。
【００９１】
図１０は、ユーザ管理を行う場合の濃さ調整情報の遷移の一例を示す模式図である。図１０では「Ｒｅｐｌａｃｅ  Ｔｏｎｅｒ」状態において前述したイベント１〜４がこの順で発生した場合の濃さ調整情報の遷移を示している。
【００９２】
イベント１が発生すると、Ｕｓｅｒ１のモノクロの濃さ調整情報の値が５に更新される。
ユーザ管理の対象がＵｓｅｒ１であり、次のイベント２が発生する前にモノクロで印刷するＦＡＸジョブが入力されたとすると、そのＦＡＸジョブが表す画像はモノクロの濃さ調整情報の値が５で印刷される。
【００９３】
イベント２が発生すると、Ｕｓｅｒ２のモノクロの濃さ調整情報の値が４に更新される。
ただし、ユーザ管理の対象がＵｓｅｒ１である場合は、Ｕｓｅｒ２の濃さ調整情報を更新しても、その濃さ調整情報はＦＡＸジョブの印刷には用いられない。Ｕｓｅｒ２の濃さ調整情報は、ユーザ管理の対象がＵｓｅｒ２に変更された場合に用いられる。
【００９４】
イベント３が発生すると、Ｕｓｅｒ３のカラーの濃さ調整情報のマゼンタ（Ｍ）、イエロー（Ｙ）、黒（Ｋ）の値がそれぞれ４、７、４に更新される。シアン（Ｃ）は３のままであるので更新されない。
ただし、Ｕｓｅｒ３の濃さ調整情報もＦＡＸジョブの印刷には用いられない。Ｕｓｅｒ３の濃さ調整情報は、ユーザ管理の対象がＵｓｅｒ３に変更された場合に用いられる。
【００９５】
イベント４が発生すると、全てのユーザについて、モノクロの濃さ調整情報もカラーの濃さ調整情報も「Ｒｅａｄｙ」状態の値に戻る。
【００９６】
（１０）実施形態の効果
以上説明した本発明の実施形態１に係る複合機１によると、「Ｒｅｐｌａｃｅ  Ｔｏｎｅｒ」状態になった場合には、「Ｒｅｐｌａｃｅ  Ｔｏｎｅｒ」状態になった後に入力された非ＦＡＸジョブに含まれている濃さ調整情報を、ＦＡＸジョブの濃さ調整情報として記憶部１５に記憶させるので、「Ｒｅｐｌａｃｅ  Ｔｏｎｅｒ」状態になってもＦＡＸジョブが表す画像の印刷品質の低下を低減できる。
【００９７】
更に、複合機１によると、非ＦＡＸジョブに含まれている濃さ調整情報によって示される濃さがＦＡＸジョブの濃さ調整情報によって示される濃さよりも濃い場合に、非ＦＡＸジョブに含まれている濃さ調整情報を記憶部１５に記憶させる。これにより、ＦＡＸジョブの濃さ調整情報によって示される濃さが、非ＦＡＸジョブに含まれている濃さ調整情報で更新される前よりも薄くなってしまうことを低減できる。
【００９８】
更に、複合機１によると、非ＦＡＸジョブが入力される毎に、当該非ＦＡＸジョブに含まれている濃さ調整情報をＦＡＸジョブの濃さ調整情報として記憶させる。
「Ｒｅｐｌａｃｅ  Ｔｏｎｅｒ」状態では印刷が行われる毎に画像がよりかすれていくので、より新しく入力された非ＦＡＸジョブに含まれている濃さ調整情報でＦＡＸジョブの濃さ調整情報を更新することが望ましい。
複合機１によると、最後に入力された非ＦＡＸジョブに含まれている濃さ調整情報を記憶部１５に記憶させるので、より新しく入力された非ＦＡＸジョブに含まれている濃さ調整情報でＦＡＸジョブの濃さ調整情報を更新できる。
【００９９】
更に、複合機１によると、間に非ＦＡＸジョブが入力されることなくＦＡＸ部１１によってＦＡＸジョブが規定回数受信された場合は、消耗品の累積の使用量に応じた濃さ調整情報を、ＦＡＸジョブの濃さ調整情報として記憶部１５に記憶させる。
間に非ＦＡＸジョブが入力されることなくＦＡＸジョブが受信された回数が多くなると、記憶部１５に記憶されている濃さ調整情報と、画像が適切な濃さで印刷される理想的な濃さ調整情報との乖離が大きくなる。
複合機１によると、間に非ＦＡＸジョブが入力されることなくＦＡＸジョブが規定回数受信された場合は、消耗品の累積の使用量に応じた濃さ調整情報を記憶部１５に記憶させるので、より適切な濃さで印刷できる。
【０１００】
更に、複合機１によると、入力された非ＦＡＸジョブがモノクロ（単色）で印刷されるジョブである場合は、当該非ＦＡＸジョブに含まれている濃さ調整情報をＦＡＸジョブのモノクロの濃さ調整情報として記憶部１５に記憶させ、入力された非ＦＡＸジョブがカラー（複数色）で印刷されるジョブである場合は、当該非ＦＡＸジョブに含まれている濃さ調整情報をＦＡＸジョブのカラーの濃さ調整情報として記憶部１５に記憶させる。
モノクロで印刷する場合とカラーで印刷する場合とでは、画像のかすれ具合は必ずしも同じにはならない。
複合機１によると、モノクロの印刷、及びカラーの印刷毎にＦＡＸジョブの濃さ調整情報が記憶されるので、モノクロの印刷の場合もカラーの印刷の場合もより適切な濃さで印刷できる。
【０１０１】
更に、複合機１によると、入力された非ＦＡＸジョブがカラーで印刷されるジョブである場合は、累積の使用量が基準使用量以下であるトナーの色の濃さ調整情報も含めて非ＦＡＸジョブに含まれている濃さ調整情報を、ＦＡＸジョブのカラーの濃さ調整情報として記憶部１５に記憶させる。
「Ｒｅｐｌａｃｅ  Ｔｏｎｅｒ」状態において、非ＦＡＸジョブを入力するユーザは基準使用量を超えているトナーの色だけ濃さを変更するとは限らない。このような場合に、基準使用量を超えている色だけ非ＦＡＸジョブに含まれている濃さ調整情報の値で更新してしまうと、他の色との色合いがおかしくなる場合が想定される。
複合機１によると、基準使用量以下であるトナーの色の濃さ調整情報も含めて記憶部１５に記憶させるので、基準使用量を超えている色と基準使用量以下の他の色との色合いの調和を取ることができる。
【０１０２】
更に、複合機１によると、「Ｒｅａｄｙ状態」（通常状態）に戻るとＦＡＸジョブの濃さ調整情報をリセットするので、「Ｒｅａｄｙ状態」に戻った後に画像が濃く印刷されてしまわないようにできる。
【０１０３】
更に、複合機１によると、トナーセーブの設定がＯＮに設定されている場合は、非ＦＡＸジョブに含まれている濃さ調整情報を記憶部１５に記憶させない。トナーセーブの設定がＯＮに設定されている場合は、ユーザは画像がかすれることよりもトナーが節約されることを優先していると考えられる。このような場合は、非ＦＡＸジョブに含まれている濃さ調整情報をＦＡＸジョブの濃さ調整情報として記憶させないことにより、ユーザの意思に反してトナーが多く使用されてしまうことを低減できる。
【０１０４】
更に、複合機１によると、ユーザ管理の対象ユーザに合わせて濃さ調整情報を設定するので、対象ユーザの好みに合わせた濃さで印刷できる。
【０１０５】
＜他の実施形態＞
本発明は上記記述及び図面によって説明した実施形態に限定されるものではなく、例えば次のような実施形態も本発明の技術的範囲に含まれる。
【０１０６】
（１）上記実施形態では、ユーザ管理を行う場合に、複合機１の管理者がユーザ管理の対象ユーザのユーザ識別子を指定し、その指定されたユーザ識別子に対応付けられているユーザ個別の濃さ調整情報をＦＡＸジョブの印刷に用いる場合を例に説明したが、受信したＦＡＸジョブに含まれている画像を文字認識して宛先のユーザを特定し、特定したユーザのユーザ識別子に対応付けられている濃さ調整情報をＦＡＸジョブの印刷に用いてもよい。
【０１０７】
例えば、ＦＡＸジョブは所謂電子メールＦＡＸとして送信されたＦＡＸジョブであってもよい。電子メールＦＡＸでは、原稿の最初のページに宛先のユーザの電子メールアドレスを記載しておき、複合機１がＦＡＸジョブを受信すると、最初のページに記載されている電子メールアドレスを文字認識し、ＦＡＸジョブに含まれている画像データをその電子メールアドレスに添付ファイルとして送信する。
【０１０８】
ただし、その場合は濃さ調整情報がユーザ識別子に対応付けられて記憶されていないユーザ宛てのＦＡＸジョブを受信する可能性もある。濃さ調整情報がユーザ識別子に対応付けられて記憶されていないユーザ宛てのＦＡＸジョブを受信した場合には、Ｐｕｂｌｉｃの濃さ調整情報を用いるようにしてもよい。
そして、その場合には、非ＦＡＸジョブを受信すると、その非ＦＡＸジョブに含まれているユーザ識別子に対応付けられている濃さ調整情報だけでなく、Ｐｕｂｌｉｃの濃さ調整情報も更新するようにしてもよい。
【０１０９】
あるいは、ＦＡＸジョブの送信元の電話番号とユーザ識別子とを対応付けておき、ＦＡＸジョブの送信元の電話番号に対応付けられているユーザ識別子に対応付けられて記憶部１５に記憶されている濃さ調整情報をそのＦＡＸジョブの印刷に用いてもよい。
【０１１０】
（２）上記実施形態では「累積の使用量に応じた濃さ調整情報記憶処理」の場合にはトナーセーブがＯＮであるかＯＦＦであるかを判定していないが、この処理においてもトナーセーブがＯＦＦである場合は記憶部１５に記憶されている濃さ調整情報を更新し、ＯＮである場合は更新しないようにしてもよい。
【０１１１】
（３）上記実施形態では非ＦＡＸジョブとしてＰＣプリントジョブ、コピージョブ、及び、ダイレクトプリントジョブを例に説明したが、非ＦＡＸジョブはこれらのジョブのいずれか一つであってもよい。
【０１１２】
（４）上記実施形態ではＰＣプリントジョブ、コピージョブ、及び、ダイレクトプリントジョブのいずれにもユーザ識別子が含まれている場合を例に説明したが、例えばコピージョブ、及び、ダイレクトプリントジョブにはユーザ識別子が含まれないようにしてもよい。この場合、コピージョブやダイレクトプリントジョブに含まれている濃さ調整情報は、ユーザ管理を行わない設定がされているときにＰｕｂｌｉｃの濃さ調整情報の更新に用いられる。
【０１１３】
（５）上記実施形態では消耗品としてトナー及び現像ローラ２４を例に説明したが、消耗品はこれらに限られない。例えば感光ドラムや、被記録媒体を搬送するベルトであってもよい。感光ドラムやベルトも使用に伴って劣化し、ある程度使用されると交換が必要だからである。また、インクジェット方式で印刷を行う場合には消耗品はインクであってもよい。
【０１１４】
（６）上記実施形態ではカラー印刷可能な複合機１を例に説明したが、複合機はモノクロ印刷のみが可能なものであってもよい。
【０１１５】
（７）上記実施形態では入力された非ＦＡＸジョブがカラーで印刷されるジョブである場合は累積の使用量が基準使用量以下であるトナーの色の濃さ調整情報も含めて非ＦＡＸジョブに含まれている濃さ調整情報でＦＡＸジョブのカラーの濃さ調整情報を更新する場合を例に説明したが、基準使用量を超えているトナーの色の濃さ調整情報のみを更新してもよい。
【０１１６】
（８）上記実施形態では制御部１０を一つのＣＰＵによって実現する場合を例に説明したが、制御部１０は複数のＣＰＵ、若しくはＡＳＩＣ、その他の回路で構成することができる。
【符号の説明】
【０１１７】
１・・・複合機、２・・・コンピュータ、５・・・通信ネットワーク、１０・・・制御部、１１・・・ＦＡＸ部、１２・・・スキャナ部、１３・・・プリンタ部、１４・・・操作部、１５・・・記憶部、１６・・・メモリインタフェース、１７・・・ネットワークインタフェース、２０・・・トナーカートリッジ、２１・・・トナー収容室、２２・・・アジテータ、２３・・・供給ローラ、２４・・・現像ローラ
【図１】
0005472088.tif 000002
【図２】
0005472088.tif 000003
【図３】
0005472088.tif 000004
【図４】
0005472088.tif 000005
【図５】
0005472088.tif 000006
【図６】
0005472088.tif 000007
【図７】
0005472088.tif 000008
【図８】
0005472088.tif 000009
【図９】
0005472088.tif 000010
【図１０】
0005472088.tif 000011